(57)【要約】【課題】  放熱量が大きい改質部、冷却部および一酸化炭素シフト反応部からの放熱を系外へ放出するのを防止することにより、改質装置の熱効率を向上させる。【解決手段】  改質装置２０は、燃料から改質ガスを生成して導出する改質部６０と、改質部６０を加熱する燃焼部５０と、水蒸気を生成して改質部６０に供給する蒸発部３０と、改質部６０からの改質ガスを降温して導出する冷却部７０と、冷却部７０からの改質ガス中の一酸化炭素を低減するＣＯシフト反応部８０と、このＣＯシフト反応部８０からの改質ガス中の一酸化炭素をさらに低減して燃料電池１０に供給するＣＯ浄化部４０とから構成されている。ＣＯ浄化部４０および蒸発部３０は筒状に形成され、蒸発部３０は改質部６０を取り囲むように配置されるとともに、ＣＯ浄化部４０は冷却部７０を取り囲むように配置されている。【選択図】  図１
2005104776.tif 000002
【特許請求の範囲】
【請求項１】
外部から供給された燃料と水蒸気との混合ガスから改質ガスを生成して導出する改質部と、該改質部を加熱する燃焼ガスを生成する燃焼部と、供給された水を前記燃焼ガスによって加熱し前記水蒸気を生成して前記改質部に供給する蒸発部と、前記改質部から導出された前記改質ガスを前記混合ガスによって降温して導出する冷却部と、該冷却部から供給された前記改質ガス中の一酸化炭素を低減する一酸化炭素シフト反応部と、該一酸化炭素シフト反応部から供給された前記改質ガス中の一酸化炭素をさらに低減して燃料電池に供給する一酸化炭素浄化部とから構成される改質装置において、
前記一酸化炭素浄化部および蒸発部は筒状に形成され、該一酸化炭素浄化部および蒸発部のいずれか一方は、前記改質部を取り囲むように配置されるとともに、他方は、前記冷却部および一酸化炭素シフト反応部の少なくとも何れか一方を取り囲むように配置されたことを特徴とする改質装置。
【請求項２】
請求項１において、前記一酸化炭素浄化部および蒸発部は、前記改質部、冷却部および一酸化炭素シフト反応部から空間をおいて配置されていることを特徴とする改質装置。
【請求項３】
請求項１または請求項２において、前記改質部、冷却部および一酸化炭素シフト反応部をこの順番に直列に並べて互いの間に接続管を介装しないで直接連結することにより、前記改質部、冷却部および一酸化炭素シフト反応部を一体化し内側一体構造体を形成したことを特徴とする改質装置。
【請求項４】
請求項１または請求項２において、前記一酸化炭素浄化部および蒸発部をその間に接続管を介装しないで直接連結することにより、前記一酸化炭素浄化部および蒸発部を一体化して外側一体構造体を形成したことを特徴とする改質装置。
【請求項５】
請求項３において、基台に組み付け固定された前記一酸化炭素浄化部と蒸発部とを一体化した外側一体構造体に設けた受け部上に前記内側一体構造体に設けた係止部を載置してその接合部分にて一点支持することにより、前記外側一体構造体に前記内側一体構造体を組み付けたことを特徴とする改質装置。
【請求項６】
請求項３において、基台に組み付け固定された前記一酸化炭素浄化部または蒸発部に設けた受け部上に前記内側一体構造体に設けた係止部を載置してその接合部分にて一点支持することにより、前記一酸化炭素浄化部または蒸発部に前記内側一体構造体を組み付けたことを特徴とする改質装置。
【請求項７】
請求項３において、基台に組み付け固定された前記内側一体構造体に設けた受け部上に前記一酸化炭素浄化部と蒸発部とを一体化した外側一体構造体に設けた係止部を載置してその接合部分にて一点支持することにより、前記内側一体構造体に前記外側一体構造体を組み付けたことを特徴とする改質装置。
【請求項８】
請求項３において、基台に組み付け固定された前記内側一体構造体に設けた受け部上に前記一酸化炭素浄化部または蒸発部に設けた係止部を載置してその接合部分にて一点支持することにより、前記内側一体構造体に前記一酸化炭素浄化部または蒸発部を組み付けたことを特徴とする改質装置。
【請求項９】
請求項１において、前記一酸化炭素浄化部または蒸発部は、互いに隣り合うように水平方向に並べて配置された前記冷却部および一酸化炭素シフト反応部を取り囲むことを特徴とする改質装置。
【請求項１０】
請求項９において、前記一酸化炭素浄化部または蒸発部は、前記冷却部を空間をおいて取り囲んだ前記一酸化炭素シフト反応部をさらに取り囲むことを特徴とする改質装置。
【請求項１１】
請求項１乃至請求項１０の何れか一項において、前記蒸発部は、隣接する内外二つの環状流路を備えた筒状に形成され、内側環状流路に前記燃焼ガスを流通させ、外側環状流路に前記水を流通させたことを特徴とする改質装置。
【請求項１２】
請求項１乃至請求項１０の何れか一項において、前記一酸化炭素浄化部は、隣接する内外二つの環状流路を備えた筒状に形成され、内側環状流路に前記水または水蒸気を流通させ、外側環状流路に前記改質ガスを流通させたことを特徴とする改質装置。
【発明の詳細な説明】
【技術分野】
【０００１】
本発明は、供給された燃料ガスおよび水蒸気から改質ガスを生成して該改質ガスを燃料電池に供給する改質装置に関する。
【背景技術】
【０００２】
改質装置は供給された燃料ガス（例えば天然ガス、ＬＰガス、灯油などの炭化水素系燃料のガス）および水蒸気からいわゆる水素リッチな改質ガスを生成してこの改質ガスを燃料電池に供給するものである。燃料電池は供給された水素と酸素との化学反応によって発電するものである。
【０００３】
改質装置としては、外部から供給された燃料と水蒸気との混合ガスから改質ガスを生成して導出する改質部３と、この改質部３を加熱する燃焼ガスを生成する燃焼部（バーナ）５と、供給された水を燃焼ガスによって加熱し水蒸気を生成して改質部３に供給する蒸発部（蒸発器）１と、改質部３から導出された改質ガスを混合ガスによって降温して導出する冷却部（熱交換器）２と、この冷却部２から供給された改質ガス中の一酸化炭素を低減する一酸化炭素シフト反応部（ＣＯシフト部）６と、この一酸化炭素シフト反応部６から供給された改質ガス中の一酸化炭素をさらに低減して燃料電池８に供給する一酸化炭素浄化部（選択浄化部）７とから構成されているものが知られている（特許文献１）。
【０００４】
この改質装置においては、改質部３、冷却部２、一酸化炭素シフト反応部６および一酸化炭素浄化部７がこの順番に直列に並べられて直接連結されている。また、この一体構造体と別体に蒸発部１が設けられており、蒸発部１と改質部３との間、および蒸発部１と冷却部２との間はそれぞれ配管によって接続されている。
【特許文献１】特開２００３−１９２３０４号公報（第３、４頁、第４図）
【発明の開示】
【発明が解決しようとする課題】
【０００５】
上述した改質装置の定常運転時においては、改質部３、冷却部２、一酸化炭素シフト反応部６、一酸化炭素浄化部７および蒸発部１、ならびにこれら各構成要素を連通する配管から放熱が生じており、改質装置で発生した熱が改質装置の熱系外に放出されていた。特に高温となる改質部３、冷却部２、一酸化炭素シフト反応部６からの放熱量が大きく、この放熱により改質装置の熱効率が低下するという問題があった。また、各構成要素をそれぞれ別体で製作し、これら構成要素を連結する配管を必要とするので、コスト高となるのは避けられなかった。
【０００６】
本発明は、上述した各問題を解消するためになされたもので、放熱量が大きい改質部、冷却部および一酸化炭素シフト反応部からの放熱を系外へ放出するのを防止することにより、改質装置の熱効率を向上させることを目的とする。
【課題を解決するための手段】
【０００７】
上記の課題を解決するため、請求項１に係る発明の構成上の特徴は、外部から供給された燃料と水蒸気との混合ガスから改質ガスを生成して導出する改質部と、この改質部を加熱する燃焼ガスを生成する燃焼部と、供給された水を燃焼ガスによって加熱し水蒸気を生成して改質部に供給する蒸発部と、改質部から導出された改質ガスを混合ガスによって降温して導出する冷却部と、この冷却部から供給された改質ガス中の一酸化炭素を低減する一酸化炭素シフト反応部と、この一酸化炭素シフト反応部から供給された改質ガス中の一酸化炭素をさらに低減して燃料電池に供給する一酸化炭素浄化部とから構成される改質装置において、一酸化炭素浄化部および蒸発部は筒状に形成され、これら一酸化炭素浄化部および蒸発部のいずれか一方は、改質部を取り囲むように配置されるとともに、他方は、冷却部および一酸化炭素シフト反応部の少なくとも何れか一方を取り囲むように配置されたことである。
【０００８】
また、請求項２に係る発明の構成上の特徴は、請求項１において、一酸化炭素浄化部および蒸発部は、改質部、冷却部および一酸化炭素シフト反応部から空間をおいて配置されていることである。
【０００９】
また、請求項３に係る発明の構成上の特徴は、請求項１または請求項２において、改質部、冷却部および一酸化炭素シフト反応部をこの順番に直列に並べて互いの間に接続管を介装しないで直接連結することにより、改質部、冷却部および一酸化炭素シフト反応部を一体化し内側一体構造体を形成したことである。
【００１０】
また、請求項４に係る発明の構成上の特徴は、請求項１または請求項２において、一酸化炭素浄化部および蒸発部をその間に接続管を介装しないで直接連結することにより、一酸化炭素浄化部および蒸発部を一体化して外側一体構造体を形成したことである。
【００１１】
また、請求項５に係る発明の構成上の特徴は、請求項３において、基台に組み付け固定された一酸化炭素浄化部と蒸発部とを一体化した外側一体構造体に設けた受け部上に内側一体構造体に設けた係止部を載置してその接合部分にて一点支持することにより、外側一体構造体に内側一体構造体を組み付けたことである。
【００１２】
また、請求項６に係る発明の構成上の特徴は、請求項３において、基台に組み付け固定された一酸化炭素浄化部または蒸発部に設けた受け部上に内側一体構造体に設けた係止部を載置してその接合部分にて一点支持することにより、一酸化炭素浄化部または蒸発部に内側一体構造体を組み付けたことである。
【００１３】
また、請求項７に係る発明の構成上の特徴は、請求項３において、基台に組み付け固定された内側一体構造体に設けた受け部上に一酸化炭素浄化部と蒸発部とを一体化した外側一体構造体に設けた係止部を載置してその接合部分にて一点支持することにより、内側一体構造体に外側一体構造体を組み付けたことである。
【００１４】
また、請求項８に係る発明の構成上の特徴は、請求項３において、基台に組み付け固定された内側一体構造体に設けた受け部上に一酸化炭素浄化部または蒸発部に設けた係止部を載置してその接合部分にて一点支持することにより、内側一体構造体に一酸化炭素浄化部または蒸発部を組み付けたことである。
【００１５】
また、請求項９に係る発明の構成上の特徴は、請求項１において、一酸化炭素浄化部または蒸発部は、互いに隣り合うように水平方向に並べて配置された冷却部および一酸化炭素シフト反応部を取り囲むことである。
【００１６】
また、請求項１０に係る発明の構成上の特徴は、請求項９において、一酸化炭素浄化部または蒸発部は、冷却部を空間をおいて取り囲んだ一酸化炭素シフト反応部をさらに取り囲むことである。
【００１７】
また、請求項１１に係る発明の構成上の特徴は、請求項１乃至請求項１０の何れか一項において、蒸発部は、隣接する内外二つの環状流路を備えた筒状に形成され、内側環状流路に燃焼ガスを流通させ、外側環状流路に水を流通させたことである。
【００１８】
また、請求項１２に係る発明の構成上の特徴は、請求項１乃至請求項１０の何れか一項において、一酸化炭素浄化部は、隣接する内外二つの環状流路を備えた筒状に形成され、内側環状流路に水または水蒸気を流通させ、外側環状流路に改質ガスを流通させたことである。
【発明の効果】
【００１９】
上記のように構成した請求項１に係る発明においては、改質装置の定常運転時に高温となる改質部、冷却部および一酸化炭素シフト反応部が、これらの構成要素より低温となる蒸発部および一酸化炭素浄化部によって取り囲まれるので、改質部、冷却部および一酸化炭素シフト反応部からの放熱は、蒸発部および一酸化炭素浄化部によって吸収される。これにより、従来系外に放出されていた熱を蒸発部および一酸化炭素浄化部にて利用し、改質部、冷却部および一酸化炭素シフト反応部からの放熱を系外に放出するのを防止するので、改質装置の熱効率を向上させることができる。
【００２０】
上記のように構成した請求項２に係る発明においては、一酸化炭素浄化部および蒸発部は、改質部、冷却部および一酸化炭素シフト反応部から空間をおいて配置されているので、高温となる構成要素と低温となる構成要素を離して配置することにより、両要素間での熱の引っ張り合いを防止し、熱効率の低下を防止することができる。さらに、熱膨張率の違いに起因する破損も防止することができる。
【００２１】
上記のように構成した請求項３に係る発明においては、改質部、冷却部および一酸化炭素シフト反応部をこの順番に直列に並べて互いの間に接続管を介装しないで直接連結することにより、改質部、冷却部および一酸化炭素シフト反応部を一体化し内側一体構造体を形成したため、この内側一体構造体には外部に露呈する接続管がなくなるので、接続管からの放熱をなくして改質装置の熱効率を向上させることができる。
【００２２】
上記のように構成した請求項４に係る発明においては、一酸化炭素浄化部および蒸発部をその間に接続管を介装しないで直接連結することにより、一酸化炭素浄化部および蒸発部を一体化して外側一体構造体を形成したため、この外側一体構造体には外部に露呈する接続管がなくなるので、接続管からの放熱をなくして改質装置の熱効率を向上させることができる。
【００２３】
上記のように構成した請求項５に係る発明においては、基台に組み付け固定された一酸化炭素浄化部と蒸発部とを一体化した外側一体構造体に設けた受け部上に内側一体構造体に設けた係止部を載置してその接合部分にて一点支持することにより、外側一体構造体に内側一体構造体を組み付けたため、内側一体構造体は外側一体構造体に固定されておらず載置されているだけなので、内外側両一体構造体が互いに異なる膨張率によってそれぞれ上下方向に膨張しても、熱膨張率差に起因する応力集中の発生を防止して改質装置の損傷を防止することにより、改質装置の耐久性を向上させることができる。
【００２４】
上記のように構成した請求項６に係る発明においては、基台に組み付け固定された一酸化炭素浄化部または蒸発部に設けた受け部上に内側一体構造体に設けた係止部を載置してその接合部分にて一点支持することにより、一酸化炭素浄化部または蒸発部に内側一体構造体を組み付けたため、内側一体構造体は一酸化炭素浄化部または蒸発部に固定されておらず載置されているだけなので、一酸化炭素浄化部または蒸発部と内側一体構造体とが互いに異なる膨張率によってそれぞれ上下方向に膨張しても、熱膨張率差に起因する応力集中の発生を防止して改質装置の損傷を防止することにより、改質装置の耐久性を向上させることができる。
【００２５】
上記のように構成した請求項７に係る発明においては、基台に組み付け固定された内側一体構造体に設けた受け部上に一酸化炭素浄化部と蒸発部とを一体化した外側一体構造体に設けた係止部を載置してその接合部分にて一点支持することにより、内側一体構造体に外側一体構造体を組み付けたため、外側一体構造体は内側一体構造体に固定されておらず載置されているだけなので、内外側両一体構造体が互いに異なる膨張率によってそれぞれ上下方向に膨張しても、熱膨張率差に起因する応力集中の発生を防止して改質装置の損傷を防止することにより、改質装置の耐久性を向上させることができる。
【００２６】
上記のように構成した請求項８に係る発明においては、基台に組み付け固定された内側一体構造体に設けた受け部上に一酸化炭素浄化部または蒸発部に設けた係止部を載置してその接合部分にて一点支持することにより、内側一体構造体に一酸化炭素浄化部または蒸発部を組み付けたため、一酸化炭素浄化部または蒸発部は内側一体構造体に固定されておらず載置されているだけなので、一酸化炭素浄化部または蒸発部と内側一体構造体とが互いに異なる膨張率によってそれぞれ上下方向に膨張しても、熱膨張率差に起因する応力集中の発生を防止して改質装置の損傷を防止することにより、改質装置の耐久性を向上させることができる。
【００２７】
上記のように構成した請求項９に係る発明においては、一酸化炭素浄化部または蒸発部は、互いに隣り合うように水平方向に並べて配置された冷却部および一酸化炭素シフト反応部を取り囲むので、改質部、冷却部および一酸化炭素シフト反応部を上下方向に重ねて直列に連結していたものと比べて、改質装置の上下方向を短くすることができ、装置自体を小型化することができる。
【００２８】
上記のように構成した請求項１０に係る発明においては、一酸化炭素浄化部または蒸発部は、冷却部を空間をおいて取り囲んだ一酸化炭素シフト反応部をさらに取り囲むため、冷却部の放熱を一酸化炭素シフト反応部で利用し、一酸化炭素シフト反応部の放熱を一酸化炭素浄化部または蒸発部で利用するので、改質装置の熱効率をさらに向上させることができる。
【００２９】
上記のように構成した請求項１１に係る発明においては、蒸発部は、隣接する内外二つの環状流路を備えた筒状に形成され、内側環状流路に燃焼ガスを流通させ、外側環状流路に水を流通させるので、改質部、冷却部および一酸化炭素シフト反応部からの放熱を系外に放出するのを防止するのに加えて、内側環状流路を流通する燃焼ガスからの熱も確実に吸収する。これにより、改質装置の熱効率を向上させることができる。
【００３０】
上記のように構成した請求項１２に係る発明においては、一酸化炭素浄化部は、隣接する内外二つの環状流路を備えた筒状に形成され、内側環状流路に水または水蒸気を流通させ、外側環状流路に改質ガスを流通させるので、改質部、冷却部および一酸化炭素シフト反応部からの放熱を系外に放出するのを防止するのに加えて、内側環状流路を流れる水が改質部、冷却部および一酸化炭素シフト反応部からの放熱を吸収して外側環状流路を流れる改質ガスを再加熱されるのを防止する。これにより、改質装置の熱効率を向上させることができる。
【発明を実施するための最良の形態】
【００３１】
ａ）第１の実施の形態
以下、本発明による改質装置の第１の実施の形態を適用した燃料電池システムについて説明する。図１はこの燃料電池システムの概要を示す概要図であり、図２は改質装置を示す拡大断面図である。
【００３２】
この燃料電池システムは、図１に示すように、燃料電池１０と燃料電池１０に必要な水素ガスを生成して供給する改質装置２０を備えている。燃料電池１０の燃料極には、改質装置２０から改質ガスが供給され、燃料電池１０の空気極には、外部からの空気が供給され、燃料電池１０において改質ガス中の水素ガスと空気中の酸素ガスとが反応して発電するようになっている。
【００３３】
改質装置２０は、蒸発部３０および一酸化炭素浄化部（以下、ＣＯ浄化部という。）４０を直接連結することにより一体化してなる外側一体構造体２１と、改質部６０、冷却部７０および一酸化炭素シフト反応部（以下、ＣＯシフト部という。）８０を直接連結することにより一体化してなる内側一体構造体２２とを備えている。外側一体構造体２１は基台１５に組み付け固定されている。内側一体構造体２２は、外側一体構造体の内側に配置され、外側一体構造体２１の受け部２１ａ（後述する）上に係止部２２ａ（後述する）を載置させてその接合部分にて１点支持されている。
【００３４】
蒸発部３０は、供給された水を燃焼ガスによって加熱し水蒸気を生成して後述する改質部７０に供給するものであり、主として図２に示すように、筒状（本実施の形態においては円筒状）に形成されている。蒸発部３０は、外側底板３５を基台１５上に当接させて設置固定され、改質部６０に対向して空間をおいて同軸に配置されている。
【００３５】
この蒸発部３０は、外筒３１と、この外筒３１の内側に改質部６０に対向して空間をおいて同軸に配置された内筒３２と、両筒３１，３２の間に配設されて両筒３１，３２の間の空間を区画する筒状仕切り３３とを備えている。外筒３１の上端には、環状に形成された天板３４の外周端が接続されている。天板３４の下面には筒状仕切り３３が垂下している。筒状仕切り３３と内筒３２との間には、図３に示すように、筒状に形成された複数（例えば２つ）のフィン３９が両部材３３，３２に密接して同軸に嵌入されている。このフィン３９は、周方向に沿って波状に凹凸が形成されている。各フィン３９の間には、筒体３９ａが嵌入されている。
【００３６】
天板３４には筒状仕切り３３と外筒３１との間の環状部位に沿って複数の貫通孔３４ａが形成され、これら貫通孔３４ａが水を導出する水導出口である。内筒３２は天板３４から空間をおいて配置されており、この内筒３２の上端と天板３４との間によって燃焼ガスを導入する燃焼ガス導入口３２ａである。天板３４の上面には、環状に形成された受け部２１ａが固定されている。受け部２１ａは断熱材（例えばセラミック材、セラミックファイバ材）であることが好ましい。これにより、燃焼ガスの熱が冷却部７０に逃げていくのを防止することができる。
【００３７】
外筒３１、筒状仕切り３３および内筒３２の各下端には、それぞれ環状に形成された外側底板３５、環状仕切り３６および内側底板３７の外周端がそれぞれ接続されている。外側底板３５の内周端縁には、外筒３１、筒状仕切り３３および内筒３２より短い短筒３８が立設されている。短筒３８の外周壁面の上下方向中央および上端には、環状仕切り３６および内側底板３７の内周端がそれぞれ接続されている。外筒３１の下部には水を導入する水導入口３１ａが設けられている。環状仕切り３６には燃焼ガスを導出する燃焼ガス導出口３６ａが外側底板３５を貫通して設けられている。
【００３８】
このように構成された蒸発部３０においては、水導入口３１ａから導入された水は、外筒３１と筒状仕切り３３との間に形成された環状空間、すなわち供給された水が流通（通過）する流水路３０ａを通って、水導出口（複数の貫通孔３４ａ）から導出する。燃焼ガス導入口３２ａから導入された燃焼ガスは、筒状仕切り３３と内筒３２との間に形成された環状空間、すなわち燃焼部５０から供給された燃焼ガスが通過する燃焼ガス流路３０ｂを通って、燃焼ガス導出口３６ａから導出する。そして、筒状仕切り３３を介して水と燃焼ガスとの間で熱交換が行われ、水は燃焼ガスによって加熱され、燃焼ガスは降温する。
【００３９】
ＣＯ浄化部４０は、ＣＯシフト部８０から供給された改質ガス中の一酸化炭素をさらに低減して燃料電池１０に供給するものであり、主として図２に示すように、筒状（本実施の形態においては円筒状）に形成されている。このＣＯ浄化部４０は、蒸発部３０の天板３４に同軸かつ一体的に固定され、冷却部７０に対向して空間をおいて同軸に配置されている。
【００４０】
ＣＯ浄化部４０は、蒸発部３０の外筒３１と同径であり、かつ冷却部７０に対向して空間をおいて同軸に配置された外筒４１と、この外筒４１の内側に同軸に配置された内筒４２と、両筒４１，４２の間に配設されて両筒４１，４２の間の空間を区画する筒状仕切り４３とを備えている。外筒４１および内筒４２の下端は、蒸発部３０の天板３４の上面に接続されており、両筒４１，４２は蒸発部３０の天板３４に立設されている。外筒４１および内筒４２の各上端には、環状に形成された天板４４の外周端縁および内周端縁がそれぞれ接続されている。筒状仕切り４３の上下端には、環状に形成された上下環状仕切り板４５，４６の各内周端縁が接続されている。上下環状仕切り板４５，４６の各外周端縁は、外筒４１の内周壁面に接続されている。
【００４１】
蒸発部３０の天板３４に設けた貫通孔３４ａは、蒸発部３０においては水（または水蒸気）を導出する水導出口であるが、ＣＯ浄化部４０においては、水（または水蒸気）を導入する水導入口である。外筒４１の下部には下環状仕切り板４６の接続部位より上の位置に改質ガスを導出する改質ガス導出口４１ａが設けられ、外筒４１の上部には上環状仕切り板４５の接続部位より下の位置に改質ガスを導入する改質ガス導入口４１ｂが設けられている。天板４４には水（または水蒸気）を導出する水導出口４４ａが設けられている。
【００４２】
このように構成されたＣＯ浄化部４０においては、水導入口３４ａから導入された加熱された水（または水蒸気）は、筒状仕切り４３と内筒４２との間に形成された空間、すなわち供給された水（または水蒸気）が流通（通過）する流水路４０ａを通って、水導出口４４ａから導出する。改質ガス導入口４１ｂから導入された改質ガスは、外筒４１と筒状仕切り４３との間に形成された空間、すなわちＣＯシフト部８０から供給された改質ガスと空気（酸化空気）との混合ガスが通過する改質ガス流路４０ｂを通って、改質ガス導出口４１ａから導出する。そして、筒状仕切り４３を介して水と改質ガスとの間で熱交換が行われ、水は改質ガスによってさらに加熱され、改質ガスは降温する。また、改質ガス流路４０ｂ内においては、導入された混合ガス中の一酸化炭素は、酸素と反応して二酸化炭素になる。この反応は、上下環状仕切り板４５，４６の間に充填された触媒４０ｃ（例えば、ＲｕまたはＰｔ系の触媒）によって促進される。これにより、改質ガスは酸化反応によって一酸化炭素濃度がさらに低減されて（１０ｐｐｍ以下）導出され、燃料電池１０の燃料極に供給されるようになっている。
【００４３】
燃焼部５０は、改質部６０を加熱する燃焼ガスを生成するものであり、主として図２に示すように、蒸発部３０の内側に同軸に空間をおいて配置されている。この燃焼部５０は、バーナ本体５１とバーナ燃焼部５２とから構成されている。バーナ本体５１は、上下方向中央にフランジ５１ａが形成されている。このフランジ５１ａが、蒸発部３０の内側底板３７の内周端から内側に向けて凸設した環状フランジ３７ａに取り付け固定されている。これにより、バーナ本体５１の上半分が蒸発部３０の内側に挿入されて取り付けられる。バーナ本体５１の下部には燃焼用燃料、燃焼空気およびオフガスを導入するガス導入口５１ｂが設けられ、バーナ本体５１の上部には導入された燃焼用燃料またはオフガスに着火する着火手段である電極５１ｃが設けられている。バーナ燃焼部５２は、筒状に形成されており、バーナ本体５１の上部に外嵌され、蒸発部３０に対向して配置されている。バーナ燃焼部５２内において、着火手段によって着火された燃焼用燃料またはオフガスが燃焼する。このバーナ燃焼部５２は、断熱材（例えば、セラミック材、セラミックファイバ材）で形成されている。
【００４４】
このように構成された燃焼部５０においては、ガス導入口５１ｂから導入された燃焼用燃料またはオフガスが燃焼されて、その燃焼ガスがバーナ燃焼部５２の開口端から導出される。そして、この燃焼ガスは、バーナ燃焼部５２と改質部６０の筒部の内壁面との間に形成された環状流路５６ａと、改質部６０の筒部の外壁面と断熱部材５５との間に形成されて環状流路５６ａの下部と連通する環状流路５６ｂとを通って蒸発部３０の燃焼ガス流路３０ｂに導出される。
【００４５】
なお、蒸発部３０と改質部６０との間には蒸発部３０の内壁面、すなわち蒸発部３０の内筒３２の内周壁面および内側底板３７の上面を覆うように断熱部材５５が配置されている。断熱部材５５は、筒体５５ａと、筒体５５ａの下端に外周端が接続された環状底板５５ｂとが一体形成されたものである。環状底板５５ｂの内周端はバーナ燃焼部５２の下端に気密に密接している。
【００４６】
改質部６０は、外部から供給された燃料と水蒸気との混合ガスから改質ガスを生成して導出するものであり、主として図２に示すように、有底円筒状に形成されている。この改質部６０は、燃焼部５０のバーナ燃焼部５２と断熱部材５５の筒体５５ａとの間の環状空間に改質部６０の筒部が挿入され、蒸発部３０に取り囲まれるように配置されている。この改質部６０は、後述する冷却部７０の環状マニホールド７３の底板７３ｂに一体的に固定されている。
【００４７】
改質部６０の筒部は、外筒６１と、この外筒６１の内側に同軸に配置された内筒６２と、両筒６１，６２の間に配設されて両筒６１，６２の間の空間を仕切る筒状の中仕切り６３とを備えている。外筒６１および中仕切り６３は、冷却部７０の環状マニホールド７３の底板７３ｂから垂下している。冷却部７０の底板７３ｂに形成された貫通孔７３ｂ１は、燃料と水蒸気との混合ガスを導入する混合ガス導入口である。外筒６１の下端には環状に形成された底板６４の外周端が接続されている。底板６４の内周端縁には、内筒６２が立設されている。内筒６２の上端開口は内側天板６５によって覆蓋されている。中仕切り６３の下端は底板６４から空間をおいて配置されている。外筒６１と中仕切り６３との間には環状押さえ板６６が嵌着され、内筒６２には中央に開口６７ａが形成されている環状仕切り板６７が嵌着されている。開口６７ａはフィルタ６８で覆われている。開口６７ａは、改質ガスを導出する改質ガス導出口である。
【００４８】
環状押さえ板６６と環状仕切り板６７との間の改質部６０内には、触媒６０ａ（例えば、ＲｕまたはＮｉ系の触媒）が充填されており、混合ガス導入口７３ｂ１から導入された燃料と水蒸気との混合ガスが触媒６０ａによって反応し改質されて水素ガスと一酸化炭素ガスが生成されている（いわゆる水蒸気改質反応）。これと同時に、水蒸気改質反応にて生成された一酸化炭素と水蒸気が反応して水素ガスと二酸化炭素とに変成するいわゆる一酸化炭素シフト反応が生じている。これら生成されたガス（いわゆる改質ガス）は改質ガス導出口６７ａを通って冷却部７０に導出される。
【００４９】
冷却部７０は、改質部６０から導出された改質ガスを燃料と水蒸気との混合ガスによって降温して導出するものであり、主として図２に示すように、改質部６０と同軸に固定されている。冷却部７０は、蒸発部３０に設けた受け部２１ａに係止部２２ａとしての環状マニホールド７３の下部周縁が載置されて支持されている。冷却部７０は、ＣＯ浄化部４０の内部に空間をおいて対向させて配置され、すなわちＣＯ浄化部４０に取り囲まれるように配置されている。
【００５０】
冷却部７０は、円筒ハウジング７１を備えている。円筒ハウジング７１の上端および下端には、それぞれ環状マニホールド７２，７３の外周端が接続されている。環状マニホールド７２は、それぞれ環状に形成された天板７２ａおよび底板７２ｂと、天板７２ａおよび底板７２ｂの外周端に上下端が接続された外筒７２ｃと、天板７２ａおよび底板７２ｂの内周端に上下端が接続された内筒７２ｄとから構成されている。天板７２ａには、燃料と水蒸気との混合ガスを導入する混合ガス導入口７２ａ１が設けられている。底板７２ｂには、後述するマニホールド７６と連通する貫通孔７２ｂ１が設けられている。環状マニホールド７３も、環状マニホールド７２と同様に、それぞれ環状に形成された天板７３ａおよび底板７３ｂ、外筒７３ｃおよび内筒７３ｄから構成されている。天板７３ａには、後述するマニホールド７５と連通する貫通孔７３ａ１が設けられている。底板７３ｂには、改質部６０の外筒６１と中仕切り６３との間の環状部位に沿って複数の貫通孔７３ｂ１が形成されている。
【００５１】
両環状マニホールド７２，７３の開口７２ｅ，７３ｅの各周縁には断面方形状の内筒７４の上下端が接続されている。内筒７４の互いに対向する一対の側壁の外壁面には、縦長の箱状に形成された一対のマニホールド７５，７６が設けられている。両マニホールド７５，７６の上下端は環状マニホールド７２，７３にそれぞれ密着固定されている。内筒７４内には、両マニホールド７５，７６を連通する複数の熱交換パイプ７７が設けられている。熱交換パイプ７７の外周には表面積を大きくして熱伝達効果を向上するためのフィン７７ａが設けられている。
【００５２】
このように構成された冷却部７０においては、混合ガス導入口７２ａ１から導入された燃料と水蒸気の混合ガスは、環状マニホールド７２、貫通孔７２ｂ１、マニホールド７６、熱交換パイプ７７、マニホールド７５、貫通孔７３ａ１、環状マニホールド７３、および貫通孔７３ｂ１を通って改質部６０に導出される。一方、改質ガス導入口である環状マニホールド７３の開口７３ｅから導入された改質ガスは、内筒７４および環状マニホールド７２の開口７２ｅを通ってＣＯシフト部８０に導出される。そして、熱交換パイプ７７を介して混合ガスと改質ガスとの間で熱交換が行われ、混合ガスは改質ガスによって加熱され、改質ガスは降温する。
【００５３】
ＣＯシフト部８０は、冷却部７０から供給された改質ガス中の一酸化炭素を低減するものであり、主として図２に示すように、冷却部７０上に同軸に固定されている。ＣＯシフト部８０は、外筒８１と、外筒８１と同軸に配置された内筒８２を備えている。外筒８１および内筒８２の各下端縁には環状に形成された底板８３の外周縁および内周縁が一体的に取り付け固定されている。外筒８１の上端縁には円板状に形成された天板８４の外周縁が一体的に取り付け固定されている。天板８４と内筒８２の上端との間には隙間が形成されている。外筒８１の外周下部には改質ガスが導出される改質ガス導出口８１ａが設けられている。内筒８２の下方への延長部８２ａは、冷却部７０の環状マニホールド７２の天板７２ａ上に一体的に取り付け固定されている。延長部８２ａは冷却部７０から導出された改質ガスを導入する改質ガス導入口である。
【００５４】
ＣＯシフト部８０の内筒８２の下部には、円板状に形成されて多数の孔を有する第１支持部材８５が取り付けられ、この第１支持部材８５により内筒８２に充填された触媒８０ａ（例えば、Ｃｕ、Ｚｎ系の触媒）が支持されている。また、外筒８１と内筒８２の間の下方にも底板８３から距離を置いて環状円板に形成されて多数の孔を有する第２支持部材８６が取り付けられ、この第２支持部材８６により外筒８１と内筒８２との間に充填された触媒８０ａが支持されている。
【００５５】
このように構成されたＣＯシフト部８０においては、改質ガス導入口８２ａから導入された改質ガスは、内筒８２、および内筒８２と外筒８１との間の空間を通って改質ガス導出口８１ａから導出する。このとき、供給された改質ガスに含まれる一酸化炭素と水蒸気が触媒８０ａにより反応して水素ガスと二酸化炭素ガスとに変成するいわゆる一酸化炭素シフト反応が生じている。
【００５６】
上述のように構成された改質装置の定常運転時には、図１に示すように、蒸発部３０に供給された水は、流水路３０ａにおいて燃焼ガス流路３０ｂを流れる燃焼ガスによって加熱され、ＣＯ浄化部４０の流水路４０ａに導出される。ＣＯ浄化部４０の流水路４０ａに供給された水（または水蒸気）は、この流水路４０ａにおいてＣＯシフト部８０から供給されて改質ガス流路４０ｂを流れる改質ガスによって加熱され、冷却部７０のマニホールド７６に導出される。このとき、水（または水蒸気）には燃料が混合され、冷却部７０のマニホールド７６には、これらが混合された混合ガスが導出されている。
【００５７】
冷却部７０においては、導入された混合ガスが上述したように環状マニホールド７３へ到達する間に、改質部６０から供給されて内筒７４内を流れる改質ガスによって加熱され完全に気体化されて、改質部６０に導出される。改質部６０においては、導入された混合ガスが改質されて水素ガスと一酸化炭素ガスが生成されている。これと同時に、水蒸気改質反応にて生成された一酸化炭素と水蒸気が反応して水素ガスと二酸化炭素とに変成するいわゆる一酸化炭素シフト反応が生じている。これら生成されたガス（いわゆる改質ガス）は冷却部７０の内筒７４に導出される。冷却部７０の内筒７４内においては、改質ガスが内筒７４を通過する間に降温され、ＣＯシフト部８０に導出される。
【００５８】
そして、ＣＯシフト部８０においては、冷却部７０から供給された改質ガスがその中に含まれる一酸化炭素を低減されてＣＯ浄化部４０の改質ガス流路４０ｂに導出される。このとき、改質ガスには酸化反応用空気が混合され、ＣＯ浄化部４０の改質ガス流路４０ｂには、これらが混合された混合ガスが導出されている。ＣＯ浄化部４０の改質ガス流路４０ｂにおいては、混合ガスは酸化反応によって一酸化炭素濃度がさらに低減されて導出され、燃料電池１０の燃料極に供給されている。
【００５９】
なお、定常運転状態の改質装置２０においては、燃焼部５０の温度は約１０００℃であり一番高く、改質部６０は５００〜７００℃であり、冷却部７０は２００〜６００℃であり、ＣＯシフト部８０は２００〜３００℃であり、ＣＯ浄化部４０は１００〜２００℃であり、蒸発部３０は約１００℃である。
【００６０】
また、ＣＯ浄化部４０と燃料電池１０の間には切替え装置９０が設けられており、定常運転時にはＣＯ浄化部４０を燃料電池１０に連通し、起動運転時には一酸化炭素濃度が高い改質ガスを燃料電池１０に供給しないようにするためＣＯ浄化部４０を燃焼部５０のバーナ本体５１に連通するように切り替えられている。これにより、起動運転時には、外部からの燃焼用燃料またはＣＯ浄化部４０から導出された改質ガスの少なくともどちらか一方がバーナ本体５１に供給されて燃焼され、定常運転時には、燃料電池１０で未使用の水素ガス（オフガス）がバーナ本体５１に供給されて燃焼される。
【００６１】
上述した説明から理解できるように、この実施の形態においては、改質装置２０の定常運転時に高温となる改質部６０および冷却部７０が、これらの構成要素より低温となる蒸発部３０およびＣＯ浄化部４０によってそれぞれ取り囲まれるので、改質部６０および冷却部７０からの放熱は、蒸発部３０およびＣＯ浄化部４０によって吸収される。これにより、従来系外に放出されていた熱を蒸発部３０およびＣＯ浄化部４０にて利用し、改質部６０および冷却部７０からの放熱を系外に放出するのを防止するので、改質装置２０の熱効率を向上させることができる。
【００６２】
また、蒸発部３０およびＣＯ浄化部４０は、改質部６０および冷却部７０から空間をおいて配置されているので、高温となる構成要素と低温となる構成要素を離して配置することにより、両要素間での熱の引っ張り合いを防止し、熱効率の低下を防止することができる。さらに、熱膨張率の違いに起因する破損も防止することができる。
【００６３】
また、改質部６０、冷却部７０およびＣＯシフト部８０をこの順番に直列に並べて互いの間に接続管を介装しないで直接連結することにより、改質部６０、冷却部７０およびＣＯシフト部８０を一体化し内側一体構造体２２を形成したため、この内側一体構造体２２には外部に露呈する接続管がなくなるので、接続管からの放熱をなくして改質装置２０の熱効率を向上させることができる。
【００６４】
また、蒸発部３０およびＣＯ浄化部４０をその間に接続管を介装しないで直接連結することにより、蒸発部３０およびＣＯ浄化部４０を一体化して外側一体構造体２１を形成したため、この外側一体構造体２１には外部に露呈する接続管がなくなるので、接続管からの放熱をなくして改質装置２０の熱効率を向上させることができる。
【００６５】
また、基台１５に組み付け固定された外側一体構造体２１に設けた受け部２１ａ上に内側一体構造体２２に設けた係止部２２ａを載置してその接合部分にて一点支持することにより、外側一体構造体２１に内側一体構造体２２を組み付けたため、内側一体構造体２２は外側一体構造体２１に固定されておらず載置されているだけなので、内外側両一体構造体２１，２２が互いに異なる膨張率によってそれぞれ上下方向に膨張しても、熱膨張率差に起因する応力集中の発生を防止して改質装置２０の損傷を防止することにより、改質装置２０の耐久性を向上させることができる。
【００６６】
また、蒸発部３０は、隣接する内外二つの環状流路３０ｂ，３０ａを備えた筒状に形成され、内側環状流路３０ａに燃焼ガスを流通させ、外側環状流路３０ｂに水を流通させるので、改質部６０および冷却部７０からの放熱を系外に放出するのを防止するのに加えて、内側環状流路３０ａを流通する燃焼ガスからの熱も確実に吸収する。これにより、改質装置２０の熱効率を向上させることができる。
【００６７】
また、ＣＯ浄化部４０は、隣接する内外二つの環状流路４０ａ，４０ｂを備えた筒状に形成され、内側環状流路４０ａに水または水蒸気を流通させ、外側環状流路４０ｂに改質ガスを流通させるので、改質部６０および冷却部７０からの放熱を系外に放出するのを防止するのに加えて、内側および外側にそれぞれ改質ガスおよび水（または水蒸気）を流した場合、冷却部７０の高熱によってＣＯ浄化部４０の触媒４０ｃが活性温度より上昇され、蒸発部３０で昇温された水（または水蒸気）が外気によって降温されることによる、改質装置２０で発生する熱エネルギーの無駄をなくすことができる。すなわち、内側環状流路４０ａを流れる水が改質部６０および冷却部７０からの放熱を吸収して外側環状流路４０ｂを流れる改質ガスを再加熱されるのを防止する。したがって、改質装置２０の熱効率を向上させることができる。
【００６８】
なお、上述した実施の形態においては、改質部６０および冷却部７０をそれぞれ蒸発部３０およびＣＯ浄化部４０で取り囲むようにしたが、蒸発部３０とＣＯ浄化部４０を入れ替えて、改質部６０および冷却部７０をそれぞれＣＯ浄化部４０および蒸発部３０で取り囲むようにしてもよい。また、改質部６０および冷却部７０を軸方向に延ばした蒸発部３０（またはＣＯ浄化部４０）で取り囲み、ＣＯシフト部８０をＣＯ浄化部４０（または蒸発部３０）で取り囲むようにしてもよい。
【００６９】
また、上述した実施の形態においては、受け部２１ａを蒸発部３０に設けるとともに係止部２２ａを冷却部７０に設けるようにしたが、これに代えて、受け部２１ａを外側一体構造体２１の他の構成要素（すなわちＣＯ浄化部４０）に設けるとともに、係止部２２ａをその構成要素に対向して位置する内側一体構造体２２の構成要素に設けるようにしてもよい。
【００７０】
ｂ）第２の実施の形態
以下、本発明による改質装置の第２の実施の形態を適用した燃料電池システムについて説明する。図４はこの燃料電池システムの概要を示す概要図である。第１の実施の形態と同一の構成部分については同一符号を付してその説明を省略し、異なる部分について説明する。
【００７１】
上述した第１の実施の形態においては、蒸発部３０およびＣＯ浄化部４０を一体化して外側一体構造体２１を形成し、基台１５に組み付け固定された外側一体構造体２１に設けた受け部２１ａ上に内側一体構造体２２に設けた係止部２２ａを載置してその接合部分にて一点支持することにより、外側一体構造体２１に内側一体構造体２２を組み付けるようにしたが、これに代えて、蒸発部３０およびＣＯ浄化部４０を一体構造体とせずに互いに別体とし、基台１５に組み付け固定された蒸発部３０（またはＣＯ浄化部４０）に設けた受け部２１ａ上に内側一体構造体２２に設けた係止部２２ａを載置してその接合部分にて一点支持することにより、蒸発部３０（またはＣＯ浄化部４０）に内側一体構造体２２を組み付けるようにしてもよい。なお、ＣＯ浄化部４０はＣＯシフト部８０（または冷却部７０）に直接（または空間をおいて）固定されている。また、第２〜第５の実施の形態においては、改質装置２０の構成要素は、水（または水蒸気）、水（または水蒸気）と燃料の混合ガス、改質ガスおよび燃焼ガスの流れが第１の実施の形態と同様となるように適宜接続されている。
【００７２】
これによれば、内側一体構造体２２は蒸発部３０（またはＣＯ浄化部４０）に固定されておらず載置されているだけなので、蒸発部３０（またはＣＯ浄化部４０）と内側一体構造体２２とが互いに異なる膨張率によってそれぞれ上下方向に膨張しても、熱膨張率差に起因する応力集中の発生を防止して改質装置２０の損傷を防止することにより、改質装置２０の耐久性を向上させることができる。
【００７３】
ｃ）第３の実施の形態
以下、本発明による改質装置の第３の実施の形態を適用した燃料電池システムについて説明する。図５はこの燃料電池システムの概要を示す概要図である。第１の実施の形態と同一の構成部分については同一符号を付してその説明を省略し、異なる部分について説明する。
【００７４】
上述した第１の実施の形態においては、蒸発部３０およびＣＯ浄化部４０を一体化して外側一体構造体２１を形成するとともに、改質部６０、冷却部７０およびＣＯシフト部８０を一体化して内側一体構造体２２を形成し、基台１５に組み付け固定された外側一体構造体２１に設けた受け部２１ａ上に内側一体構造体２２に設けた係止部２２ａを載置してその接合部分にて一点支持することにより、外側一体構造体２１に内側一体構造体２２を組み付けるようにしたが、これに代えて、基台１５に組み付け固定された内側一体構造体２２に設けた受け部２２ｂ上に外側一体構造体２１に設けた係止部２１ｂを載置してその接合部分にて一点支持することにより、内側一体構造体２２に外側一体構造体２１を組み付けるようにしてもよい。この場合、外側一体構造体２１および内側一体構造体２２はそれらの配列順が第１の実施の形態と上下逆となっている。
【００７５】
これによれば、外側一体構造体２１は内側一体構造体２２に固定されておらず載置されているだけなので、内外側両一体構造体２１，２２が互いに異なる膨張率によってそれぞれ上下方向に膨張しても、熱膨張率差に起因する応力集中の発生を防止して改質装置２０の損傷を防止することにより、改質装置２０の耐久性を向上させることができる。
【００７６】
ｄ）第４の実施の形態
以下、本発明による改質装置の第４の実施の形態を適用した燃料電池システムについて説明する。図６はこの燃料電池システムの概要を示す概要図である。第３の実施の形態と同一の構成部分については同一符号を付してその説明を省略し、異なる部分について説明する。
【００７７】
上述した第３の実施の形態においては、蒸発部３０およびＣＯ浄化部４０を一体化して外側一体構造体２１を形成し、基台１５に組み付け固定された内側一体構造体２２に設けた受け部２２ｂ上に外側一体構造体２１に設けた係止部２１ｂを載置してその接合部分にて一点支持することにより、内側一体構造体２２に
外側一体構造体２１を組み付けるようにしたが、これに代えて、基台１５に組み付け固定された内側一体構造体２２に設けた受け部２２ｂ上に蒸発部３０（またはＣＯ浄化部４０）に設けた係止部２１ｂを載置してその接合部分にて一点支持することにより、内側一体構造体２２に蒸発部３０（またはＣＯ浄化部４０）を組み付けるようにしてもよい。なお、ＣＯ浄化部４０はＣＯシフト部８０（または冷却部７０）に直接（または空間をおいて）固定されている。
【００７８】
これによれば、蒸発部３０（またはＣＯ浄化部４０）は内側一体構造体２２に固定されておらず載置されているだけなので、蒸発部３０（またはＣＯ浄化部４０）と内側一体構造体２２とが互いに異なる膨張率によってそれぞれ上下方向に膨張しても、熱膨張率差に起因する応力集中の発生を防止して改質装置２０の損傷を防止することにより、改質装置２０の耐久性を向上させることができる。
【００７９】
ｅ）第５の実施の形態
以下、本発明による改質装置の第５の実施の形態を適用した燃料電池システムについて説明する。図７はこの燃料電池システムの概要を示す概要図である。第１の実施の形態と同一の構成部分については同一符号を付してその説明を省略し、異なる部分について説明する。
【００８０】
上述した第１の実施の形態においては、改質部６０、冷却部７０およびＣＯシフト部８０を直列して一体化して内側一体構造体２２を形成し、蒸発部３０およびＣＯ浄化部４０はこの内側一体構造体２２を取り囲んでいたが、これに代えて、図７に示すように、冷却部７０およびＣＯシフト部８０を互いに隣り合うように水平方向に並べて配置して一体化したものに改質部６０を連結した一体構造体２５を形成し、ＣＯ浄化部４０（または蒸発部３０）は冷却部７０およびＣＯシフト部８０を取り囲むようにしてもよい。なお、蒸発部３０（またはＣＯ浄化部４０）は改質部６０に直接（または空間をおいて）固定されている。これによれば、改質部６０、冷却部７０およびＣＯシフト部８０を上下方向に重ねて直列に連結していたものと比べて、改質装置２０の上下方向を短くすることができ、装置自体を小型化することができる。
【００８１】
ｆ）第６の実施の形態
以下、本発明による改質装置の第６の実施の形態を適用した燃料電池システムについて説明する。図８はこの燃料電池システムの概要を示す概要図である。第５の実施の形態と同一の構成部分については同一符号を付してその説明を省略し、異なる部分について説明する。
【００８２】
上述した第５の実施の形態においては、冷却部７０およびＣＯシフト部８０を互いに隣り合うように水平方向に並べて配置するようにしたが、これに代えて、図８に示すように、ＣＯシフト部８０を円筒状に形成し、このＣＯシフト部８０を空間をおいて冷却部７０を取り囲むように同軸に配置し、ＣＯ浄化部４０（または蒸発部３０）はＣＯシフト部８０をさらに取り囲むように配置してもよい。なお、蒸発部３０（またはＣＯ浄化部４０）は改質部６０に直接（または空間をおいて）固定されている。これによれば、冷却部７０の放熱をＣＯシフト部８０で利用し、ＣＯシフト部８０の放熱を蒸発部３０（またはＣＯ浄化部４０）で利用するので、改質装置２０の熱効率をさらに向上させることができる。
【図面の簡単な説明】
【００８３】
【図１】本発明による改質装置による第１の実施の形態を適用した燃料電池システムの概要を示す概要図である。
【図２】図１に示す改質装置の拡大断面図である。
【図３】図２の３−３線に沿った断面図である。
【図４】本発明による改質装置による第２の実施の形態の概要を示す概要図である。
【図５】本発明による改質装置による第３の実施の形態の概要を示す概要図である。
【図６】本発明による改質装置による第４の実施の形態の概要を示す概要図である。
【図７】本発明による改質装置による第５の実施の形態の概要を示す概要図である。
【図８】本発明による改質装置による第６の実施の形態の概要を示す概要図である。
【符号の説明】
【００８４】
１０…燃料電池、１５…基台、２０…改質装置、２１…外側一体構造体、２１ａ，２２ｂ…受け部、２１ｂ，２２ａ…係止部、２２…内側一体構造体、３０…蒸発部、３０ａ…流水路、３０ｂ…燃焼ガス流路、３１…外筒、３１ａ…水導入口、３２…内筒、３２ａ…燃焼ガス導入口、３３…筒状仕切り、３４…天板、３４ａ…貫通孔（水導出口）、３５…外側底板、３６…環状仕切り、３６ａ…燃焼ガス導出口、３７…内側底板、３８…短筒、３９…波状フィン、４０…一酸化炭素浄化部（ＣＯ浄化部）、４０ａ…流水路、４０ｂ…改質ガス流路、４０ｃ…触媒、４１…外筒、４１ａ…改質ガス導出口、４１ｂ…改質ガス導入口、４２…内筒、４３…筒状仕切り、４４…天板、４４ａ…水導出口、４５，４６…上下環状仕切り板、５０…燃焼部、５１…バーナ本体、５１ｂ…ガス導入口、５２…バーナ燃焼部、５５…断熱部材、５６ａ，５６ｂ…環状流路、６０…改質部、６０ａ…触媒、６１…外筒、６２…内筒、６３…中仕切り、６４…底板、６５…内側天板、６６…環状押さえ板、６７…環状仕切り板、６７ａ…開口、７０…冷却部、７１…円筒ハウジング、７２，７３…環状マニホールド、７４…内筒、７５，７６…マニホールド、７７…熱交換パイプ、７７ａ…フィン、８０…一酸化炭素シフト反応部（ＣＯシフト部）、８０ａ…触媒、８１…外筒、８１ａ…改質ガス導出口、８２…内筒、８２ａ…延長部（改質ガス導入口）、８３…底板、８４…天板、９０…切替え装置。
【図１】
2005104776.tif 000003
【図２】
2005104776.tif 000004
【図３】
2005104776.tif 000005
【図４】
2005104776.tif 000006
【図５】
2005104776.tif 000007
【図６】
2005104776.tif 000008
【図７】
2005104776.tif 000009
【図８】
2005104776.tif 000010